(57)【要約】  本発明はダイ本体を備えるダイ（１２）である。ダイ本体は内部キャビティ（２８）とアプリケータスロット（２４）とを画定する。キャビティ（２８）はアプリケータスロット（２４）と流体連通している。複数の気体逃げ通路（２６）は内部キャビティ（２８）と流体連通している。
2007504001.tif 000002
【特許請求の範囲】
【請求項１】
少なくとも１つの内部キャビティおよび該キャビティに流体連通するアプリケータスロットを画定するダイ本体と、
前記内部キャビティに流体連通する複数の気体逃げ通路と、
を備えるダイ。
【請求項２】
前記気体逃げ通路が複数のチャネルをさらに備える、請求項１に記載のダイ。
【請求項３】
前記気体逃げ通路が、少なくとも部分的に粗面化エリア内に配置された複数の間隙をさらに備える、請求項１に記載のダイ。
【請求項４】
前記ダイ本体が第１の部分と第２の部分とを備え、それら第１および前記第２の部分が共に前記キャビティを画定する、請求項１に記載のダイ。
【請求項５】
前記複数の気体逃げ通路が前記キャビティの実質的全幅にわたって延びる、請求項１に記載のダイ。
【請求項６】
前記複数の気体逃げ通路が、前記内部キャビティからの気体の排出を可能にする一方で前記内部キャビティからの塗布材料の実質的排出を防止するように構成される、請求項１に記載のダイ。
【請求項７】
前記第１の部分と前記第２の部分との間に配置されたシムをさらに備え、前記複数の気体逃げ通路が少なくとも部分的に該シム内に形成される、請求項１に記載のダイ。
【請求項８】
前記気体逃げ通路が複数のチャネルをさらに備える、請求項５に記載のダイ。
【請求項９】
前記気体逃げ通路が、粗面化エリア内に配置された複数の間隙をさらに備える、請求項５に記載のダイ。
【請求項１０】
前記複数の気体逃げ通路が前記キャビティの実質的全幅にわたって延びる、請求項５に記載のダイ。
【請求項１１】
前記複数の気体逃げ通路が、前記内部キャビティからの気体の排出を可能にする一方で前記内部キャビティからの塗布材料の実質的排出を防止するように構成される、請求項５に記載のダイ。
【請求項１２】
材料を基材に塗布する方法であって、
内部キャビティおよびアプリケータスロットに流体連通するアプリケータスロットを有するダイ本体と、該キャビティに流体連通する複数の気体逃げ孔とを備えるダイを用意するステップと、
前記材料が前記アプリケータスロットを通して前記基材上に分配されるように、前記材料を前記内部キャビティ内に導入するステップと、
前記アプリケータスロットが前記基材の上方で略下向きに配置されるように、前記ダイを方向付けするステップと、
前記複数の気体逃げ孔を通して前記ダイキャビティ内の空気を排気するステップと、
を含む方法。
【請求項１３】
前記気体逃げ通路が複数のチャネルにより形成される、請求項１２に記載の方法。
【請求項１４】
前記気体逃げ通路が、粗面化エリア内に配置された複数の間隙により形成される、請求項１２に記載の方法。
【請求項１５】
前記ダイ本体が第１の部分と第２の部分とにより形成され、該第１の部分および該第２の部分が共に前記キャビティを画定する、請求項１２に記載の方法。
【請求項１６】
前記ダイが、前記第１の部分と前記第２の部分との間に配置されたシムを備え、さらに、前記複数の気体逃げ通路が該シム内に形成される、請求項１５に記載の方法。
【請求項１７】
前記気体逃げ通路が複数のチャネルにより形成される、請求項１６に記載の方法。
【請求項１８】
前記気体逃げ通路が、粗面化エリア内に配置された複数の間隙により形成される、請求項１６に記載の方法。
【請求項１９】
前記複数の気体逃げ通路が前記キャビティの実質的全幅にわたって延びる、請求項１２に記載の方法。
【請求項２０】
前記気体逃げ通路を通した塗布材料の実質的排出を防止することをさらに含む、請求項１２に記載の方法。
【請求項２１】
前記基材を前記アプリケータスロットに対して移動させることと、
前記ダイからの材料の移動を制御することと、
前記基材上に材料の個別の断片を形成することとをさらに含む、請求項１２に記載の方法。
【発明の詳細な説明】
【技術分野】
【０００１】
本発明は一般に塗布および／または押出装置に関する。特に本発明は気体を装置から除去可能な塗布および／または押出装置に関する。
【背景技術】
【０００２】
流体を材料のウェブ上に塗布することは周知である。膜を形成するための材料の押出も周知である。このような塗布および押出は、アプリケータスロットと連通するキャビティを有するダイを用いて好都合に行えることが多い。圧力下の液体をキャビティ内に導入した後、所望の基材上にまたは膜としてアプリケータスロットから押し出す。
【０００３】
塗布または押出の厳密な所望結果および周囲環境に応じて、ダイの様々な補助具および方向付けを利用し得る。多くのタイプの塗布または押出にとって、アプリケータスロットがダイの上部に向かって配置されるようにダイを方向付けすることが好都合である。ダイをこのように方向付けする１つの理由は、動作中にダイ内に導入された空気（または他の気体）、またはダイのキャビティ内に液体を最初に導入した後にダイ内に残留する空気がアプリケータスロットに向かって泡状に上昇しやすいことである。これによりダイキャビティ内の空気を排除することができる。これは塗布または押出ダイ内の残留空気が、アプリケータスロットを介する液体の放出開始および停止するための応答時間を減少させるように働くという点で望ましい。非応答性は非圧縮性を有する（または実質的に圧縮性が低い）流体で完全に満たしたキャビティに対する気体の圧縮性に起因する。
【０００４】
しかしいくつかの押出または塗布用途の場合、アプリケータスロットをダイの底部に向けて配置（すなわちアプリケータスロットが下向きに配置されるようにダイを方向付け）することが望ましい。この課題は特に液体を個々の離間した断片状で基材上に塗布する場合、塗布の開始および停止に対するダイ応答性が特に重要である場合に共通している。アプリケータスロットをダイの底部に向けて配置する場合に残留気体を塗布ダイから除去するという課題は当該技術により検討されてきた。例えばパッチコーティング個別物品の場合、ダイチャンバに対して抽気弁を設けるため、アプリケータダイに入る空気を抽気弁を介して排気することができるということが知られている。
【発明の開示】
【発明が解決しようとする課題】
【０００５】
しかし気体のポケットがまだダイキャビティ内に発生する可能性があり、抽気弁では排除されない。これらの気体のポケットはダイが特に幅広い場合に特に発生する恐れがある。そのため当該技術はなお確実に残留気体を除去する方法であって、ダイを様々な方向に方向付けさせた状態で様々なダイ形状に対してより広く適用可能な方法を必要としている。
【課題を解決するための手段】
【０００６】
本発明はダイ本体を備えるダイである。ダイ本体は内部キャビティとアプリケータスロットとを画定する。キャビティはアプリケータスロットと流体連通している。複数の気体逃げ通路は内部キャビティと流体連通している。
【０００７】
添付の図面のいくつかの図において同様な部分は同様な参照番号を有する。
【０００８】
上記の説明は例示であり限定を意図するものではないことは理解できよう。当業者には前述の説明から本発明の範囲から逸脱することなく本発明の様々な変更例および代替例が明らかであろう。さらに本発明が本明細書に記載した図示の実施形態に限定されないことは理解できよう。
【発明を実施するための最良の形態】
【０００９】
図１には本発明によるダイ１２を用いた例示的塗布ライン１０の斜視図が図示されている。塗布用途を用いて本発明を説明するが、本発明のダイを押出用途でも用い得ることは理解できよう。図示例ではダイ１２が基材１４上に配置されている。この図では基材１４は「Ａ」の方向に移動する不定長さ材料のウェブであるが、塗布を必要とする任意の他の連続または個々の物品でもよい。ダイ１２の図示の実施形態は第１の部分１６と第２の部分１８とを含む。通常本発明のダイをアセンブリとして作製することが好都合であるが、本発明はダイ１２を複数の構成要素からまたは単一の要素として構成することができるようにすることを検討する。
【００１０】
基材１４上に塗布される材料２０（例えば液体状でダイ１２から移動可能な任意の材料、ポリマーなど）が供給管２２を介してダイ内に導入され、ダイ１２から出ているところが見える。材料がダイ１２からアプリケータスロット２４（破線で示す）を介して移動する。アプリケータスロット２４は連続開口（図示のような）または複数の開口（または「穴」または「通路」）であり、この中を材料２０が押出または塗布のために移動する。なおアプリケータスロット２４は下向きに方向付けされる。換言すればスロット２４は水平位置より下方に配置され、図示の実施形態ではほぼ垂直下方位置に配置される。この方向付けでは気体は上方に移動しやすいため、ダイ１２が材料２０で満たされている間またはダイ動作中（すなわち押出または塗布中）気体２９はダイ１２内に捕捉されることになり、アプリケータスロット２４からは出ない。アプリケータスロット２４を介するダイ１２からの材料２０の移動制御は多数の方法で行うことができる。一例は供給管２２に材料２０を送出する供給ポンプ（図示せず）を制御することによりダイ１２内へ導入する材料２０の量を制御することによる。前述したように、ダイ１２内の気体はダイ１２からの移動材料２０の制御に影響をおよぼす恐れがある。本発明のダイ１２はアプリケータスロット２４からの除去地点に気体逃げ孔２６の配列２７を有し、捕捉された気体２９を内部にキャビティ２８から逃がす。
【００１１】
図２を参照すると、図１の塗布ダイ１２の断面端面図が図示されている。現在の実施形態では第１の部分１６および第２の部分１８は共に内部キャビティ２８を画定しており、内部キャビティ２８はアプリケータスロット２４と流体連通している。さらに１つの気体逃げ通路２６が図示されている。
【００１２】
気体逃げ通路２６は内部キャビティ２８内に捕捉された気体をダイ１２の周囲環境へ排出させるには十分に大きいが、極少量を超える塗布（または押出）材料２０の通過を防止するのに十分に小さいことが望ましい。任意の特定の場合の気体逃げ通路に必要な正確な寸法は塗布される材料、塗布が行われる温度、および塗布材料がダイに供給される圧力のような要因によるが、様々な方法（例えば各場合に対する経験的試行）により決定し得る。適切な気体逃げ通路サイズを選択すること、および通路を形成する材料を選択することにより、残留空気が良好に排気された後の通路を介して漏れる材料の損失を最小限にする。気体逃げ通路の考えられるサイズは大きい（すなわち裸眼で見える）ものから小さい（すなわち裸眼では見えない）ものまで様々である。気体逃げ通路２６は当該技術で周知の多くの方法でダイ１２内に形成し得る。これらの方法には切断または穿孔があるがこれらに限定されない。
【００１３】
気体逃げ通路２６の適切なサイズを決定する１つの方法は、ある塗布条件（スロット高、スロット長、スロット幅、流速および粘度）に対するダイ内の動作圧力を測定または算出した後、動作圧力の作用による通路にわたる流量が０．００１ｃｃ／分以下になるように通路のサイズを算出することである。通路２６中の流量の１つの所望レベルとして０．００１ｃｃ／分以下を選択したが、特定の塗布または押出用途に対してダイスロットの合計流量に大きく影響をおよぼさないように通路２６にわたって十分に低いレベルの流量を選択することが望ましいことは理解できよう。例えば通路２６中の流量のレベルをダイスロット中の全塗布流量の０．１％以下として選択することもできる。
【００１４】
流体流量によるスロット前後の圧力降下は式、
【数１】
2007504001.tif 000003
により与えられここで、
ΔＰ＝ダイ動作圧力
ＱS＝塗布液流速
μ＝塗布液粘度
ＬS＝塗布スロットの長さ
ＷS＝塗布スロットの幅
ＨS＝塗布スロットの高さ
である。
【００１５】
各個の通路前後の圧力降下は、
【数２】
2007504001.tif 000004
により与えられここで、
ΔＰ＝ダイ動作圧力
ＱP＝気体通路中の塗布液流速
μ＝塗布液粘度
ＬP＝気体通路の長さ
ＷP＝気体通路の幅
ＨP＝気体通路の高さ
である。２つの式を互いに等しく設定してＷPＨP3について解くと、通路の相対的寸法を決定できる。
【００１６】
これらの式から通路のサイズの決定は塗布液粘度には関係ないということが分かる。なお上記の式を用いることは通路のサイズを決定するための単なる１つの方法に過ぎず、当業者に周知の他の方法を用いてもよい。
【００１７】
気体逃げ通路２６をダイ１２の部分１６および１８の一方または両方内に形成することは好都合であり、また場合によっては、ダイ１２の位置１６および１８の一方または両方に接着または取り付けられる挿入物３０（破線で随意に示す）上に通路を提供することも好都合であり得る。挿入物３０を利用して気体逃げ通路２６を設けることにより、ダイ１２を介して塗布または押出される材料２０に変更があった場合などに、気体逃げ通路２６の配置を迅速に変更できるようにすることも好都合であり得る。
【００１８】
ここで図３を参照すると、図２のダイ１２の第２の部分１８の正面図が明確にするためにダイ１２の第１の部分１６を取り外した状態で図示されている。この実施形態では複数の気体逃げ孔２６はチャネル２６ａの配列２７ａである。配列２７ａは内部キャビティ２８の略全幅にわたって延在している。各チャネル２６ａは内部キャビティ２８からダイ１２を取り囲む環境まで延びて、内部キャビティ２８を各チャネル２６ａを介して周囲環境と連通させる。チャネル２６ａの配列２７により排出手段なしに気体２９のポケットが内部キャビティ２８内に残らないようにすることができる。上述したようにチャネル２６ａは、内部キャビティ２８からの気体２９の排出を可能にする一方で材料２０の排出を実質的に防止するような大きさに形成されている。開口２２ａは取り外した第１の部分１６内の供給管２２（図１を参照）が内部キャビティ２８内に開口する場合の一例を図示している。開口２２ａの上部が複数の気体通路２６に直接隣接して配置され、内部キャビティ２８からの空気の除去を最良の状態で達成するため好ましい。なおチャネル２６ａはダイ１２の第２の部分１８内に配置されて図示されているが、チャネル２６ａを挿入物（例えば図１に示した挿入物３０）上でダイ１２の部分１６および１８のいずれかまたは両方に配置してもよく、または１つのブロックを含むアセンブリを形成する任意の数の部分を利用したダイ構成にわたって配置してもよい。
【００１９】
ここで図４を参照するとダイ１２の第２の部分１８の代替実施形態が、再度明確にするためにダイ１２の第１の部分１６が取り外された状態で図示されている。この実施形態では粗面化エリア２７ｂが内部キャビティ２８に隣接して設けられている。上記の説明と同様に、この粗面化エリア２７ｂはダイ１２の部分１６および１８のいずれかまたは両方の上に、あるいは挿入物（例えば図１に示した挿入物３０）上またはアセンブリを形成する任意の数の部分を用いたダイ構成上に形成することができる。粗面化エリア２７ｂの粗度を算出して気体逃げ通路２６として機能する間隙２６ｂを（ダイ１２および／または挿入物３０上に）設ける。上述したように粗面化エリア２７ｂ内の間隙２６ｂにより設けられた気体逃げ通路２６の大きさは、内部キャビティ２８からダイ１２の周囲環境へ気体を排出させるのに十分でありながらも、内部キャビティ２８からの微量を超える塗布材料２０の排出を防止するようにしなければならない。
【００２０】
ここで図５を参照すると、シム４０が正面図に図示されている。シム４０は挿入物３０の一例であり、図２に対して前述するとともにダイ１２の第１の部分１６と第２の部分１８との間に位置する（図１および２を参照）ようになっている。押出または塗布ダイ内でシムを利用することは当該技術では一般に知られている。本実施形態では気体逃げ孔２６の役目をするチャネル２６ａの配列２７ａはシム４０上に形成されている。当該技術ではダイはボルトによって一緒に保持されたアセンブリであることが多いため、ボルト穴４２がシム４０の図示の実施形態に示されており、そのようなボルトを通すことができる。シム４０を第１および第２の部分１６と１８との間の位置にボルト締めすることにより、ダイキャビティからの気体２９を排出可能にするが、ダイキャビティからの微量を超える塗布（または押出）材料２０の排出を不能にする通路を作製する大きさに形成された気体逃げ孔２６を提供する。本実施形態では複数の気体逃げ孔が組み立てられたダイ１２のダイキャビティ２８（図３および４参照）のほぼ幅の距離延在している。シム４０を本発明のダイ１２の一部分として利用する利点は、シム４０を現存のダイに後付け可能であることである。さらにダイにより押出または塗布される材料が変更された場合、シムを取り外してチャネル２６ａの異なる寸法を有する別のシムと交換することにより、気体２９の排出を可能にする一方で、塗布または押出材料２９の排出を実質的に防止する。
【００２１】
図６にはシム４０の代替実施形態が図示されている。図示の実施形態では間隙２６ｂを有する粗面化エリア２７ｂがシム４０上に設けられている。そのためシム４０がダイ１２（図１および２参照）の第１および第２の部分１６と１８との間の位置にボルト締めされると、粗面化エリア２７ｂ内の間隙２６ｂはダイキャビティ内の気体を排出させるのに十分であるが、ダイキャビティからの塗布（または押出）材料の排出を実質的に防止する気体逃げ通路２６を提供する。以下の実施例２で説明するように、粗面化面を有する材料をシム４０に固定して粗面化エリア２７ｂを提供してもよい。代替的には粗面化エリア２７ｂを、シム４０を形成する材料内に直接形成し得る。なお当業者に周知の従来の手段を用いて表面の粗面化を達成することができる。
【００２２】
本発明はダイを垂直方向に方向付けしなければならない場合でも、残留気体が逃げる複数の経路を有するダイに実用的な設計を提供することにより上述の装置に固有の不都合に対処する。一観点において本発明は内部にキャビティを有するダイ本体を含むダイとして考案されたものであり、キャビティはアプリケータスロットと流体連通している。複数の気体逃げ孔はアプリケータスロットから離れたキャビティ内の位置でキャビティと流体連通した状態にある。
【００２３】
第２の観点において本発明は材料を基材に塗布する方法として考案し得る。
【００２４】
内部にキャビティを有するダイ本体を備えるダイを提供する。キャビティはアプリケータスロットと流体連通している。
【００２５】
キャビティと流体連通している複数の気体逃げ孔がダイ内にある。気体逃げ孔はアプリケータスロットから離れたキャビティ内の位置に配置されている。
【００２６】
ダイはアプリケータスロットが基材の上方で略下向きの状態で方向付けされている。
【００２７】
そして材料はダイキャビティ内に導入されて、その材料がアプリケータスロットを介して基材上に分注され、さらにダイキャビティ内の残留空気が複数の気体逃げ孔を介して排気されるようになっている。
【００２８】
上述したように本発明の様々な実施形態が可能である。上述の説明は例示であり限定を意図するものではないことは理解できよう。当業者には本発明の要旨と範囲とから逸脱することなく形状および細部において変更可能であることは認識されよう。
【００２９】
本発明の利用を図示する実施例を以下に説明する。
【実施例】
【００３０】
実施例１
第１の部分と第２の部分とを有し、共に長さ約５インチ（１２．５ｃｍ）のアプリケータスロットと連通するダイキャビティを画定する、一般に従来の構成の塗布ダイを用意した。第２のダイ部分は供給管との接続を有するとともにスチールで作製した。第１のダイ部分は透明なアクリルポリマーで構成して塗布中にダイキャビティが見えるようにした。第１および第２の部分に塗布ダイを形成するための組み付け用のボルト穴を設けた。シム（図５に全体的に示した）を厚さ約０．０１インチ（０．２５ｍｍ）のステンレス鋼板から作製した。複数の気体逃げ通路をシム（再度図５に全体的に示した）の表面のうちの一面上に圧延した。これらの気体逃げ通路は各々幅約０．０１インチ（０．２５ｍｍ）、深さ約０．００２インチ（０．０５ｍｍ）、そして互いに約０．０６２５インチ（１．５９ｍｍ）の距離離間させた。これらの通路のサイズは前述の式を用いて算出した。
【００３１】
ある塗布条件（スロット高、スロット長、スロット幅、流速および粘度）に対するダイ内の圧力を算出した後、動作圧力の作用による通路にわたる流量が０．００１ｃｃ／分以下になるように通路のサイズを決定した。
【００３２】
流体流量によるスロット前後の圧力降下を決定した。
【数３】
2007504001.tif 000005
ここで、
ΔＰ＝ダイ動作圧力
ＱS＝塗布液流速
μ＝塗布液粘度
ＬS＝塗布スロットの長さ
ＷS＝塗布スロットの幅
ＨS＝塗布スロットの高さ
である。
【００３３】
各個の通路前後の圧力降下は、
【数４】
2007504001.tif 000006
により与えられここで、
ΔＰ＝ダイ動作圧力
ＱP＝気体通路中の塗布液流速
μ＝塗布液粘度
ＬP＝気体通路の長さ
ＷP＝気体通路の幅
ＨP＝気体通路の高さ
である。
【００３４】
この実施例の場合、機械加工のため０．０１インチ（０．２５ｍｍ）の通路幅が好適であり、通路長は現在のダイ形状により１．５インチ（３．８１ｃｍ）に設定され、塗布液流速は６２．５ｃｃ／分であった。ＱPは０．００１ｃｃ／分に設定した。そして必要な通路深さを算出した。
【数５】
2007504001.tif 000007
Ｈp＝０．００２インチ（０．０５ｍｍ）
【００３５】
上記シムを第１および第２の部分間に有し、供給管の出口が気体逃げ通路の水平面の真下になるようにボルトを用いて塗布ダイを組み立てた。ダイスロットを密封してダイを塗布材料で満たした。ダイスロットを密封することによりダイキャビティを塗布材料の漏れなく満たすことができた。
【００３６】
気体逃げ通路を上方に方向付けするとともにアプリケータスロットを下方に方向付けした状態でダイ塗布用に塗布ダイを設置した。その後塗布ダイを用いて約３０センチポアズの粘度を有するグリセリンと室温の水との溶液を移動基材上に塗布した。ダイキャビティ内の圧力は約０．３３ｐｓｉ（２．３ｋＰａ）であった。塗布材料が塗布ダイ内に導入される際、ダイキャビティ内の空気が上方に移動して気体逃げ通路を介して良好に排気されたことがダイの透明な部分を通して見えた。ダイを開いてキャビティを露出し、キャビティ内の気液界面（「濡れ」面）の箇所を見えるようにすることにより、この完全な充填を確認した。ダイキャビティを見ることでキャビティ内の空気が排気されるとともに、気体逃げ通路を介して極微量の塗布材料しか損失していないことが分かった。
【００３７】
実施例２
第１の部分と第２の部分とを有し、共にスチールから形成され、共に長さ約４インチ（１０．１６ｃｍ）のアプリケータスロットと連通するダイキャビティを画定する、一般に従来の構成の塗布ダイを用意した。第２のダイ部分は供給管との接続を有していた。第１および第２の部分に共に塗布ダイを形成するための組み付け用のボルト穴を設けた。シム（図６に全体的に示した）を厚さ約０．０４インチ（１．０ｍｍ）のステンレス鋼板から作製した。複数の気体逃げ通路をシム（再度図６に全体的に示した）の表面のうちの一面上に形成した。これらの気体逃げ通路は２４０グリットサンドペーパー（およそ６０マイクロメートルの粗度）をシムの表面にかけることにより形成した。
【００３８】
上記シムを第１および第２の部分間に有し、供給管の出口が気体逃げ通路の水平面の真下になるようにボルトを用いて塗布ダイを組み立てた。ダイスロットを密封し、ダイを約１センチポアズの粘度を有する室温の水（塗布材料）で満たした。ダイスロットを密封することによりダイキャビティを塗布材料の漏れがなく満たすことができた。気体逃げ通路を上方に方向付けするとともにアプリケータスロットを下方に方向付けした状態でダイ塗布用に塗布ダイを設置した。ダイキャビティ内の圧力は約０．１ｐｓｉ（０．６９ｋＰａ）であった。塗布ダイを満たした後、ダイの正面を取り外し、ダイを開いてキャビティを露出し、青色の染料により示されるようにキャビティ内の気液界面（「濡れ」面）の箇所を見えるようにすることにより、内部キャビティの完全な充填を確認した。ダイキャビティを見ることで水がサンドペーパーグリット間のチャネル内に進入したためキャビティ内の空気が排気されたことが分かった。さらに塗布材料は気体逃げ通路を介してダイの周囲環境へ失われていなかった。
【図面の簡単な説明】
【００３９】
【図１】本発明の実施形態によるダイを用いた、例示的塗布ラインの概略等角図である。
【図２】図１の線２−２に沿ったダイの断面端面図である。
【図３】ダイの第１の部分を取り外した状態の図２のダイの第２の部分の正面図である。
【図４】ダイの第１の部分を取り外した状態の図２のダイの第２の部分の代替実施形態である。
【図５】ダイの部分間に配置されるように構成されたシムの一実施形態の概略平面図である。
【図６】ダイの部分間に配置されるように構成されたシムの第２の実施形態の概略平面図である。
【図１】
2007504001.tif 000008
【図２】
2007504001.tif 000009
【図３】
2007504001.tif 000010
【図４】
2007504001.tif 000011
【図５】
2007504001.tif 000012
【図６】
2007504001.tif 000013
【国際調査報告】
2007504001.tif 000014
2007504001.tif 000015